(57)【要約】      （修正有）【課題】熱橋による断熱効果の低減防止、火災による外壁の脱落防止が図られ、しかも従来の型枠支持装置が使用できる外断熱壁構造を提供する。【解決手段】中間の断熱材１と、その一方側に位置する内壁２と、その他方側に位置する外壁３とが、断熱材１を貫通し一端側が内壁２内に位置し、他側が外壁３内に位置する支持手段４で一体に支持されてなる外断熱壁構造であって、断熱材１を貫通して設けられる支持部材４と、固定部材６とより構成され、支持部材４は鉄棒で内壁２内に位置する部分が雄螺子部５ｂに、外壁３内に位する部分がワイヤメッシュ７を係止する係止部５ａに形成され、固定部材は雄螺子部５ｂに螺合する雌螺子部６ｂが設けられており、係止部で外壁３内に配設されたワイヤメッシュ７を係止した支持部材４は、断熱材１を貫通し、雄螺子部５ｂに固定部材６が螺合されて断熱材１に当接してワイヤメッシュ７を引っ張る格好で固定されている。【選択図】          図１
2004225286.tif 000002
【特許請求の範囲】
【請求項１】
中間の断熱材と、その一方側に位置する内壁と、その他方側に位置する外壁とが、少なくとも断熱材を貫通し一端側が内壁内に位置し、他端側が外壁内に位置する支持手段で一体に支持されてなる外断熱壁構造であって、
支持手段は、断熱材を貫通して設けられる支持部材と、この支持部材の固定部材とより構成され、
支持部材は鉄棒で内壁内に位置する部分が雄螺子部に、外壁内に位置する部分が外壁内に配設されたワイヤメッシュを係止する係止部に形成され、固定部材は少なくとも該支持部材の雄螺子部に螺合する雌螺子部が設けられており、
係止部で外壁内に配設されたワイヤメッシュを係止した支持部材は、断熱材を貫通し、その内壁内に突出した雄螺子部に内壁側より固定部材が螺合されて断熱材に当接してワイヤメッシュを引っ張る格好で固定されていることを特徴とする外断熱壁構造。
【請求項２】
前記断熱材の少なくとも外壁側に面する側面には、凹部、突部、凹溝、突条、これらの組合せ、の内のいずれかが設けられていることを特徴とする請求項１記載の外断熱壁構造。
【請求項３】
前記支持部材の係止部と断熱材との間にパッキン材を介在させることを特徴とする請求項１または２記載の外断熱壁構造。
【請求項４】
中間に断熱材を配置し、その一方側に内壁となる空間を形成する内壁用型枠を、その他方側に外壁となる空間を形成する外壁用型枠を、型枠支持装置において固定して設け、
内壁となる空間には鉄筋を配設し、外壁となる空間にはワイヤメッシュを配設し、
鉄棒で一端側が係止部に、他端側が雄螺子部に形成された支持部材を、係止部で外壁となる空間でワイヤメッシュを係止し、断熱材を貫通し内壁となる空間側に突出した雄螺子部に、雌螺子部を有する固定部材を螺合して断熱材に当接してワイヤメッシュを引っ張る格好で固定して設け、その後、内壁となる空間及び外壁となる空間にコンクリートを打設し、中間の断熱材の一方側に内壁を、他方側に外壁を形成し、打設したコンクリートが固化した後、型枠支持装置を解除し、型枠を取り除くことを特徴とする外断熱壁構造の形成方法。
【請求項５】
前記断熱材の少なくとも外壁側に面する側面には、凹部、突部、凹溝、突条、これらの組合せ、の内のいずれかが設けられていることを特徴とする請求項４記載の外断熱壁構造の形成方法。
【請求項６】
前記支持部材の係止部と断熱材との間にパッキン材を介在させることを特徴とする請求項４または５記載の外断熱壁構造の形成方法。
【発明の詳細な説明】
【０００１】
【発明の属する技術分野】
この発明は、外断熱壁構造およびその形成方法に関し、詳しくは中間の断熱材の両側に内壁と外壁が設けられた多層の外断熱壁構造およびその形成方法に関する。
【０００２】
【従来の技術】
従来、外断熱壁構造としては、例えば、（１）断熱材の外側に、メタルラス等を貼り、これにモルタルを塗り仕上げる、（２）内壁に固定した金物支持材で、断熱材の外側に乾式材の外壁を形成する、（３）断熱材とスレート等の複合板を、内壁のコンクリート打設時に、外壁側に打ち込む、等の工法がある。
【０００３】
しかし、前記（１）においてはメタルラス及びモルタルの断熱材との付着強度が小さく、剥落のおそれがあり、（２）においては工事期間が長くなり、工事費用も高くなること、（３）においては複合板の外側の材料が劣化しやすいし、複合板の断熱材の厚さに限界があること、等の課題がある。また、いずれもコンクリート壁（内壁）の耐用年数に比べて外装材の耐用年数が著しく短いという課題がある。
【０００４】
そこで、このような課題を解決するものとして特開２００２−３３９４７０号公報に示す外断熱壁構造が提案された。この外断熱壁構造は、内壁と中間の断熱材と外壁体が、これらの三者に貫通状の金属製支持部材で一体化されたものであり、金属製支持部材の内壁内に位置する部分に抜止部が設けられ、金属製支持部材の外壁内に位置する部分には合成樹脂製接続部材が設けられ、これにより内壁および外壁との抜け止めが強固になっている。この外断熱壁構造は、ヒートブリッジやクールブリッジ等の熱橋対策、火災による外壁の脱落対策、断熱材の退化による外壁の脱落対策が施されていて好ましいものである。
【０００５】
【発明が解決しようとする課題】
しかしながら、この外断熱壁構造の金属製支持部材等の各種部材は、型枠支持装置として兼用するものであり、外断熱壁を施工した後に不必要な型枠等の部材を取り除き、金属製支持部材等の必要な部材は残し、内壁と中間の断熱材と外壁とを一体化しているものである。従って、この外断熱壁構造を施工するには、従来の型枠支持装置は使用できず、新たにこの外断熱壁構造を形成する各種部材を揃えなければならず、経済的負担が大きいと共に、従来の型枠支持装置が無駄となる経済的損失が生ずる課題がある。
【０００６】
この発明は、このような課題に鑑み提案されたものであり、その目的は、ヒートブリッジやクールブリッジ等の熱橋による断熱効果の低減防止、火災による外壁の脱落防止および断熱材の退化による外壁の脱落の防止が図られ、しかも従来の型枠支持装置が使用できると共に、工期も短縮でき、コストダウンも可能な外断熱壁構造およびその形成方法を提供することにある。
【０００７】
【課題を解決するための手段】
前記課題を解決するため、この発明の外断熱壁構造は、中間の断熱材と、その一方側に位置する内壁と、その他方側に位置する外壁とが、少なくとも断熱材を貫通し一端側が内壁内に位置し、他端側が外壁内に位置する支持手段で一体に支持されてなる外断熱壁構造であって、
支持手段は、断熱材を貫通して設けられる支持部材と、この支持部材の固定部材とより構成され、
支持部材は鉄棒で内壁内に位置する部分が雄螺子部に、外壁内に位置する部分が外壁内に配設されたワイヤメッシュを係止する係止部に形成され、固定部材は少なくとも該支持部材の雄螺子部に螺合する雌螺子部が設けられており、
係止部で外壁内に配設されたワイヤメッシュを係止した支持部材は、断熱材を貫通し、その内壁内に突出した雄螺子部に内壁側より固定部材が螺合されて断熱材に当接してワイヤメッシュを引っ張る格好で固定されていることを特徴とする。
この外断熱壁構造により外壁のコンクリートはワイヤメッシュに付着し、ワイヤメッシュは支持部材に係止されているので、外壁はワイヤメッシュおよび支持部材で支持される。また、断熱材と外壁コンクリートとの付着強度は、ワイヤメッシュを、内壁に固定した支持部材で係止して強度が図られる。これにより火災時や断熱材が退化（劣化）しても外壁が落下することがない。さらに、支持部材は内壁および外壁内に埋設されているのでヒートブリッジやクールブリッジ等の熱橋となることもない。
【０００８】
また、この発明の外断熱壁構造は、前記断熱材の少なくとも外壁側に面する側面には、凹部、突部、凹溝、突条、これらの組合せ、の内のいずれかが設けられていることを特徴とする。
これにより断熱材と外壁コンクリートとの付着強度が更に向上する。凹部、突部、凹溝および突条の形状や数は、適宜選択する。
【０００９】
さらに、この発明の外断熱壁構造は、前記支持部材の係止部と断熱材との間にパッキン材を介在させることを特徴とする。
これによりワイヤメッシュのカブリ厚が確保できると共に、支持部材の係止部の断熱材への当接面積を拡大することができ、断熱材を破壊することなく支持部材の支持力を断熱材に確実に伝達することができる。
【００１０】
また、この発明の外断熱壁構造の形成方法は、中間に断熱材を配置し、その一方側に内壁となる空間を形成する内壁用型枠を、その他方側に外壁となる空間を形成する外壁用型枠を、型枠支持装置において固定して設け、
内壁となる空間には鉄筋を配設し、外壁となる空間にはワイヤメッシュを配設し、
鉄棒で一端側が係止部に、他端側が雄螺子部に形成された支持部材を、係止部で外壁となる空間でワイヤメッシュを係止し、断熱材を貫通し内壁となる空間側に突出した雄螺子部に、雌螺子部を有する固定部材を螺合して断熱材に当接してワイヤメッシュを引っ張る格好で固定して設け、その後、内壁となる空間及び外壁となる空間にコンクリートを打設し、中間の断熱材の一方側に内壁を、他方側に外壁を形成し、打設したコンクリートが固化した後、型枠支持装置を解除し、型枠を取り除くことを特徴とする。
これにより前記したような外断熱壁構造を容易に形成できる。この時、型枠支持装置は、従来公知のものを使用できるので、既存のものでよく経済的負担も少なくて済むし、施工も容易となる。
【００１１】
また、この発明の外断熱壁構造の形成方法は、前記断熱材の少なくとも外壁側に面する側面には、凹部、突部、凹溝、突条、これらの組合せ、の内のいずれかが設けられていることを特徴とする。
これにより断熱材と外壁コンクリートとの付着強度を向上させた外断熱壁構造を形成することができる。
【００１２】
さらに、この外断熱壁構造の形成方法は、前記支持部材の係止部と断熱材との間にパッキン材を介在させることを特徴とする。
これにより支持部材の係止部と断熱材との間にパッキン材を介在させた外断熱壁構造を形成することができる。
【００１３】
【発明の実施の形態】
以下、この発明を図面に示す実施の形態について詳細に説明する。図１はこの発明の実施の形態を示す外断熱壁構造の断面図である。
同図に示す外断熱壁構造は、中間の断熱材１と、その一方側に位置する内壁２と、その他方側に位置する外壁３とが、断熱材１を貫通し一端側が内壁２内に位置し、他端側が外壁３内に位置する支持手段４で一体に支持されている。
【００１４】
中間の断熱材１は、従来公知のものを採用できるが、少なくとも外壁３側に面する側面には、凹部、突部、凹溝、突条およびこれらの組合せが設けられる。本例では凹溝１ａが水平方向に設けられている。この凹溝１ａや他の凹部、突部、凹溝、突条およびこれらの組合せは、断熱材１と外壁３のコンクリートとの付着力を増強させるものであり、その設ける数や形状は適宜選択して設ける。内壁２は、鉄筋９が配設された鉄筋コンクリートとなっており、外壁３は、ワイヤメッシュ７が配設されたコンクリートで形成されている。ワイヤメッシュ７は、外壁３に亀裂が生ずるのを防止するものであるが、外壁３のコンクリートとの付着力および外壁３のコンクリートと断熱材１との付着力をも向上させるものであり、断熱材１の外壁３側に面した側面に沿って設けられる。
【００１５】
支持手段４は、断熱材１を貫通して設けられる支持部材５と、この支持部材５の固定部材６とより構成される。支持部材５は鉄棒で内壁２内に位置する部分が雄螺子部５ｂに、外壁３内に位置する部分が外壁３内に配設されたワイヤメッシュ７を係止する係止部５ａに一体形成されている。
雄螺子部５ｂは、少なくとも断熱材１と内壁２との境界付近の前後に亘って設けられていればよいが、図１に示すように内壁２内に位置する全体が雄螺子部５ｂとなっていると、内壁２のコンクリートとの付着力が向上し支持部材５の引抜担力も向上するので好ましい。
係止部５ａは、本例ではフック状に湾曲したものを例示しているが、これに制限されるものではない。しかし外壁３内に配設されたワイヤメッシュ７を係止し、かつ外壁３との引抜担力が高い構成が好ましい。
【００１６】
固定部材６は座板６ａと雌螺子部６ｂとで形成されている。そして係止部５ａで外壁３内に配設されたワイヤメッシュ７を係止した支持部材５は、断熱材１を貫通し内壁２内に突出しており、この内壁２内に突出した雄螺子部５ｂに固定部材６の雌螺子部６ｂを螺合して座板６ａを断熱材１に当接している。これにより支持部材５はワイヤメッシュ７を引っ張る格好で固定される。
【００１７】
また、支持部材５の係止部５ａと断熱材１との間には、パッキン材８が介在されている。このパッキン材８は、ワイヤメッシュ７のカブリ厚を確保するものであるが、この他にも、支持部材５の係止部５ａが断熱材１を破壊することなく支持部材５の支持力を断熱材に確実に伝達したり、熱橋を防止する。
【００１８】
しかして、図１に示す実施の形態の外断熱壁構造によれば、外壁３のコンクリートはワイヤメッシュ７に強固に付着し、ワイヤメッシュ７は一端側が内壁２に固定された支持部材５で係止され、外壁３のコンクリートは断熱材１の凹溝１ａに流れ込んで固化しており、さらに断熱材１は支持部材５で支持される。これにより断熱材１と外壁３との付着強度は、一端側が内壁２に固定された支持部材５、この支持部材５で係止したワイヤメッシュ７および断熱材１の凹溝１ａで強化される。従って、外壁３が断熱材１から剥がれ脱落することがない。また、火災時および劣化によって断熱材１の支持力が低下しても、外壁３はワイヤメッシュ７や支持部材５で支持されるため脱落することもない。さらに、支持部材５は、中間の断熱材１を貫通し、一端側が内壁２内に、他端側が外壁３内に埋まっているので、熱橋となることもない。
【００１９】
図２は、この発明の実施の形態に係る外断熱壁構造の形成方法を説明する断面図、図３は図２における支持部材部分の拡大図、図４は図２における型枠支持装置部分の拡大図であり、図１に示す実施の形態と同一構成要素には同一符号を付して詳細な説明は省略する。
【００２０】
まず、中間に断熱材１を配置し、その一方側に内壁２となる空間２ａを形成する内壁用型枠１１を、その他方側に外壁３となる空間３ａを形成する外壁用型枠１２を、型枠支持装置１０において固定して設ける。内壁２となる空間２ａには鉄筋９を配設し、外壁３となる空間３ａにはワイヤメッシュ７を配設する。このワイヤメッシュ７は、断熱材１の外壁３となる空間３ａ側の側面に沿って配設される。
【００２１】
鉄棒で一端側が係止部５ａに、他端側が雄螺子部５ｂに形成された支持部材５は、係止部５ａで外壁３となる空間３ａでワイヤメッシュ７を係止し、断熱材１を貫通し内壁２となる空間２ａ側に雄螺子部５ｂが突出する。この内壁２となる空間２ａ側に突出した雄螺子部５ｂには、雌螺子部６ｂを有する固定部材６が螺合されて断熱材１に当接して支持部材５がワイヤメッシュ７を引っ張る格好で固定される。
【００２２】
次に、内壁２となる空間２ａおよび外壁３となる空間３ａにコンクリートを打設する。図５はコンクリートが打設された状態を示す断面図である。これにより図５に示すように中間の断熱材１の一方側に内壁２が、他方側に外壁３が形成される。そこで、打設したコンクリートが固化したら型枠支持装置１０を解除し、型枠１１、１２を取り除くことによって、図１に示すような外断熱壁構造が形成される。
【００２３】
型枠支持装置１０としては、従来公知のものを採用すればよく、特に制限はない。好ましい一実施の形態を図２および図４について説明する。
中間に配置した断熱材１の内壁２を形成する空間２ａ側の面に当接したジョイナー１３と、内壁用型枠１１との間に、第１セパレータ１４が一端側をジョイナー１３にねじ結合して架設される。この第１セパレータ１４の型枠１１の内面にはコーン１５が配置され、第１セパレータ１４はこのコーン１５に螺入して貫通しており、この第１セパレータ１４には型枠１１の外側においてフォームタイ１６が連結され、このフォームタイ１６に押え部材１７をナット１８で締め付け、内側に配置された縦バタ１９、横バタ２０を固定する。
【００２４】
また、前記ジョイナー１３と、外壁用型枠１２の間に、第２セパレータ２４が断熱材１を貫通し一端側をジョイナー１３にねじ結合して架設される。断熱材１の外壁３を形成する空間３ａ側の面にジョイナー２２が配置され、型枠１２の内面にはコーン２５が配置され、第２セパレータ２４はこれらジョイナー２２およびコーン２５を貫通しており、この第２セパレータ２４には型枠１２の外側においてフォームタイ２６が連結され、このフォームタイ２６の押え部材２７をナット２８で締め付け、押え部材２７の内側に配置された縦バタ２９、横バタ３０を固定する。これにより内壁用型枠１１および外壁用型枠１２を所定の間隔で固定することができる。
【００２５】
型枠支持装置１０を解除して型枠１１、１２を取り除くには、ナット１８、２８による押え部材１７、２７の締め付けを緩め、横バタ２０、３０および縦バタ１９、２９を取り除き、フォームタイ１６、２６を第１セパレータ１４および第２セパレータ２４から取り外すと、型枠１１および１２が取り外し可能となる。ここで型枠１１および１２を取り外した後は、コーン２５および第２セパレータ２４は取り除いてもよい。コーン２５および第２セパレータ２４を取り除いた時は、その取り除いて生ずる孔２３（図１参照）にはウレタン等の断熱材を充填することが好ましい。これにより孔２３から断熱効果が低下するのを防止できる。
【００２６】
なお、前記実施の形態は、この発明を制限するものではなく、この発明は要旨を逸脱しない範囲において種々の変更が可能である。
【００２７】
【発明の効果】
以上詳細に説明した通り、この発明の外断熱壁構造およびその形成方法によれば、次のような効果を奏する。
（１）ヒートブリッジやクールブリッジ等の熱橋による断熱効果の低減がない。火災による外壁の脱落および断熱材の退化（劣化）による外壁の脱落がない。
（２）四季を通じて建物内表面や室温に温度のムラが少なく、しかも表面結露や内部結露が生じずらい。
【００２８】
（３）型枠支持装置は、従来公知（既存）のものを使用できる。施工が容易で、工期も短縮できるし、コストダウンも可能となる。
（４）構造が強固となり、耐用年数が長くなる。
【図面の簡単な説明】
【図１】この発明の実施の形態を示す外断熱壁構造の断面図である。
【図２】この発明の実施の形態に係る外断熱壁構造の形成方法を説明する断面図である。
【図３】図２における支持部材部分の拡大図である。
【図４】図２における型枠支持装置部分の拡大図である。
【図５】この発明の実施の形態に係る外断熱壁構造の形成方法を説明する次の工程の断面図である。
【符号の説明】
１  断熱材
２  内壁
２ａ  内壁を形成する空間
３  外壁
３ａ  外壁を形成する空間
４  支持手段
５  支持部材
５ａ  係止部
５ｂ  雄螺子部
６  固定部材
６ａ  座板
６ｂ  雌螺子部
７  ワイヤメッシュ
８  パッキン材
１０  型枠支持装置
１１  内壁用型枠
１２  外壁用型枠
１３  ジョイナー
１４  第１セパレータ
１５、２５  コーン
２４  第２セパレータ
【図１】
2004225286.tif 000003
【図２】
2004225286.tif 000004
【図３】
2004225286.tif 000005
【図４】
2004225286.tif 000006
【図５】
2004225286.tif 000007